(57)【要約】【課題】軸受の内周面をバインダー樹脂と、固体潤滑剤及び硬質物の少なくとも一方と、から構成される樹脂オーバレイ層で被覆したすべり軸受であって、運転開始時のなじみ時間を短縮し、フリクション低減の効果や耐摩耗性向上の効果を得ることができるすべり軸受を提供する。【解決手段】すべり軸受１は、円筒を軸方向と平行に二分割した半割部材２・２を上下に配置し、前記上下の半割部材２の内周面をバインダー樹脂と、固体潤滑剤及び硬質物の少なくとも一方と、から構成される樹脂オーバレイ層２ａで被覆しているすべり軸受であって、前記下側の半割部材２の軸方向端部に回転方向下流側合わせ面から所定の軸受角度まで円周方向に細溝３を設けた。【選択図】図２
2015132367.tif 000002
【特許請求の範囲】
【請求項１】
円筒を軸方向と平行に二分割した半割部材を上下に配置し、
前記上下の半割部材の内周面をバインダー樹脂と、固体潤滑剤及び硬質物の少なくとも一方と、から構成される樹脂オーバレイ層で被覆したすべり軸受であって、
前記下側の半割部材の軸方向端部に回転方向下流側合わせ面から所定の軸受角度まで円周方向に細溝を設けた、ことを特徴とするすべり軸受。
【発明の詳細な説明】
【技術分野】
【０００１】
本発明は、すべり軸受の技術に関し、円筒を軸方向と平行に二分割した半割部材を上下に配置したすべり軸受の技術に関する。
【背景技術】
【０００２】
従来、エンジンのクランクシャフトを軸支するための軸受であって、円筒形状を二分割した二つの部材を合わせる半割れ構造のすべり軸受が公知となっている（例えば、特許文献１参照）。また、従来、軸受の内周面をバインダー樹脂と、固体潤滑剤及び硬質物の少なくとも一方と、から構成される樹脂オーバレイ層で被覆した軸受が公知となっている。軸受の内周面をバインダー樹脂と、固体潤滑剤及び硬質物の少なくとも一方と、から構成される樹脂オーバレイ層で被覆したことにより、軸受とクランクシャフトとの接触によるフリクションを低減し、耐摩耗性を向上させるものである。
【先行技術文献】
【特許文献】
【０００３】
【特許文献１】特表２００３−５３２０３６号公報
【発明の概要】
【発明が解決しようとする課題】
【０００４】
しかし、従来技術の如く、軸受の内周面をバインダー樹脂と、固体潤滑剤及び硬質物の少なくとも一方と、から構成される樹脂オーバレイ層で被覆した場合、なじみ性が低下するため運転開始時のなじみ時間が長くかかってしまっていた。また、樹脂オーバレイ層で被覆したことによるフリクション低減の効果や耐摩耗性向上の効果は混合、境界潤滑領域においてのみ発揮され、流体潤滑領域においては効果が無かった。
【０００５】
そこで、本発明は係る課題に鑑み、軸受の内周面をバインダー樹脂と、固体潤滑剤及び硬質物の少なくとも一方と、から構成される樹脂オーバレイ層で被覆したすべり軸受であって、運転開始時のなじみ時間を短縮し、フリクション低減の効果や耐摩耗性向上の効果を得ることができるすべり軸受を提供する。
【課題を解決するための手段】
【０００６】
本発明の解決しようとする課題は以上の如くであり、次にこの課題を解決するための手段を説明する。
【０００７】
即ち、請求項１においては、円筒を軸方向と平行に二分割した半割部材を上下に配置し、前記上下の半割部材の内周面をバインダー樹脂と、固体潤滑剤及び硬質物の少なくとも一方と、から構成される樹脂オーバレイ層で被覆したすべり軸受であって、前記下側の半割部材の軸方向端部に回転方向下流側合わせ面から所定の軸受角度まで円周方向に細溝を設けたものである。
【発明の効果】
【０００８】
本発明の効果として、以下に示すような効果を奏する。
【０００９】
すなわち、細溝を設けたことによりなじみ工程が必要な摺動面積が減少し、運転開始時のなじみ時間が短縮され早期に流体潤滑運転へ移行することができる。また、流体潤滑運転時においても摺動面積の減少によりフリクション低減の効果を得ることができ、耐摩耗性向上の効果を得ることができる。
【図面の簡単な説明】
【００１０】
【図１】一実施形態に係るすべり軸受を示す正面図。
【図２】（ａ）一実施形態に係るすべり軸受を構成する半割部材を示す平面図。（ｂ）同じくＡ−Ａ線断面図。（ｃ）同じくＢ−Ｂ線断面図。
【発明を実施するための形態】
【００１１】
次に、発明の実施の形態を説明する。なお、図１は本発明の一実施形態に係るすべり軸受１の正面図であり、図１における画面の上下方向を軸受１の上下方向、画面の手前方向及び奥方向を軸受１の軸方向（前後方向）、画面の左右方向を軸受１の左右方向とする。
【００１２】
まず、すべり軸受１を構成する半割部材２について図１及び図２を用いて説明する。
すべり軸受１は円筒状の部材であり、図１に示すように、エンジンのクランクシャフト１１のすべり軸受構造に適用される。すべり軸受１は、二つの半割部材２・２で構成されている。二つの半割部材２・２は、それぞれが円筒を軸方向と平行に二分割した形状であり、前後方向と直交する平面による断面形状が半円状となるように形成されている。本実施形態においては、半割部材２・２は上下に配置されており、左右に合わせ面が配置されている。クランクシャフト１１をすべり軸受１で軸支する場合、所定の隙間が形成され、この隙間に対し図示せぬ油路から潤滑油が供給される。
【００１３】
図２（ａ）においては、上側および下側の半割部材２を示している。なお、本実施形態においては、クランクシャフト１１の回転方向を図１及び図２（ａ）・（ｂ）の矢印に示すように正面視時計回り方向とする。また、軸受角度は、図２（ｂ）における右端の位置を０度とし、図２（ｂ）において、反時計回り方向を正とする。すなわち、図２（ｂ）において、左端の位置の軸受角度が１８０度となり、下端の位置の軸受角度が２７０度となるように定義する。
【００１４】
図２（ａ）から（ｃ）に示す如く、すべり軸受１は、上下の半割部材２・２の内周面をバインダー樹脂と、固体潤滑剤及び硬質物の少なくとも一方と、から構成される樹脂オーバレイ層２ａで被覆している（図２（ａ）から（ｃ）において網掛けされた部分）。樹脂オーバレイ層２ａはすべり軸受１の内周面における損傷を防止したり、摩擦・摩耗を低減したりするために用いられる。
【００１５】
バインダー樹脂は、固体潤滑剤及び硬質物と半割部材２・２とを強固に接着させるための接着層であり、例えば、本実施形態においては、ポリアミドイミド（ＰＡＩ）樹脂、ポリイミド樹脂、フェノール樹脂、ポリアセタール樹脂、ポリエーテルエーテルケトン樹脂、ポリフェニレンサルファイド樹脂の少なくともいずれか一つ以上で構成される。
【００１６】
固体潤滑剤は、摩擦面に付与することによって摩擦や摩耗を低下させる物質であり、例えば、本実施形態においては、ＭｏＳ2、ポリテトラフルオロエチレン（ＰＴＦＥ）、グラファイト、ＷＳ2、六方晶系の窒化ホウ素（ｈ−ＢＮ）、ＳＢ2Ｏ3、の少なくともいずれか一つ以上で構成される。
【００１７】
硬質物は、摩擦面に付与することによって摩擦や摩耗を低下させる物質であり、例えば、本実施形態においては、ＳｉＣ、ＡｌＯ3、ＴｉＮ、ＡｌＮ、ＣｒＯ2、Ｓｉ3Ｎ4、ＺｒＯ2、Ｆｅ3Ｐの少なくともいずれか一つ以上で構成される。
【００１８】
樹脂オーバレイ層２ａは、バインダー樹脂と固体潤滑剤とから構成されても良いし、バインダー樹脂と硬質物とから構成されても良いし、バインダー樹脂と固体潤滑剤及び硬質物の合成物から構成されても良い。
【００１９】
上側の半割部材２の内周には円周方向に溝が設けられており、中心に円形の孔が設けられている。また、上側の半割部材２の左右に合わせ面が配置されている。図２（ａ）に示す如く、上側の半割部材２の内周面はこの溝以外の部分が樹脂オーバレイ層２ａでコーティングされている。
【００２０】
下側の半割部材２の内周面においては、軸方向端部に回転方向下流側合わせ面（軸受角度が１８０度）から軸受角度が正となる方向（反時計回り方向）に向けて円周方向に細溝３が設けられている。上側の半割部材２の内周面はこの細溝３を除いて、樹脂オーバレイ層２ａでコーティングされている。
【００２１】
細溝３は下側の半割部材２に設けられる。本実施形態においては、細溝３は軸方向に並列して二本設けられている。詳細には、細溝３は、クランクシャフト１１の回転方向下流側合わせ面（軸受角度ωが１８０度）から軸受角度ωが正となる方向（反時計回り方向）に向けて円周方向に設けられる。すなわち、下側の半割部材２においては、図２（ｂ）の右側の合わせ面が回転方向上流側合わせ面、図２（ｂ）の左側の合わせ面が回転方向下流側合わせ面となる。
細溝３は、図２（ｃ）に示すように、軸受厚さＤよりも浅い深さｄとなるように形成されている。また、細溝３の幅はｗとなるように形成されている。
【００２２】
細溝３を設けたことにより、なじみ工程に必要な摺動面積が減少し、運転開始時のなじみ時間が短縮され早期に流体潤滑運転へ移行することができる。また、細溝３を設けたことにより、摺動面積が減少するため、摩擦平均有効圧（ＦＭＥＰ）を低減させることが可能となった。ここで、ＦＭＥＰとは、フリクションの傾向を見るための値であり、ＦＭＥＰが低減するとフリクションが低減する。
【００２３】
また、細溝３を設けたことにより、すべり軸受１の軸方向端部における圧力勾配を変化させることができる。すなわち、細溝３において軸受端部から中央部へ向かって下降する圧力勾配の増加に伴って、油の吸い戻し量が増加し、総和の流出油量が抑制される。
【００２４】
また、樹脂オーバレイ層２ａで被覆したことにより、細溝３を設けることで発生する負荷容量の減少や、油膜厚さの低下を防止することができる。すなわち、樹脂オーバレイ層２ａで被覆したことにより、コーティングしていない場合と比較してフリクションが低減し、耐摩耗性が向上するため、負荷容量を増加させて、油膜厚さを維持することができるので細溝３を設けることで発生する負荷容量の減少や、油膜厚さの低下を防止することができる。
【００２５】
以上のように、円筒を軸方向と平行に二分割した半割部材２・２を上下に配置し、前記上下の半割部材２の内周面をバインダー樹脂と、固体潤滑剤及び硬質物の少なくとも一方と、から構成される樹脂オーバレイ層２ａで被覆しているすべり軸受１であって、前記下側の半割部材２の軸方向端部に回転方向下流側合わせ面から所定の軸受角度まで円周方向に細溝３を設けたものである。
このように構成することにより、細溝３を設けたことによりなじみ工程が必要な摺動面積が減少し、運転開始時のなじみ時間が短縮され早期に流体潤滑運転へ移行することができる。また、流体潤滑運転時においても摺動面積の減少によりフリクション低減の効果を得ることができ、耐摩耗性向上の効果を得ることができる。
【符号の説明】
【００２６】
１    すべり軸受
２    半割部材
２ａ  樹脂オーバレイ層
３    細溝
１１  クランクシャフト
【図１】
2015132367.tif 000003
【図２】
2015132367.tif 000004